【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】
電気機器に取り付けられ、束線を保持するための凹部を有するコードガイドにおいて、
一体成形され、弾性変形可能な接続部を介して接続された第１及び第２のコードガイド部を有し、前記接続部を弾性変形させることにより、前記第１のコードガイド部に対する前記第２のコードガイド部の位置を変更可能であることを特徴とするコードガイド。
【請求項２】
前記２のコードガイド部は係合爪部を有し、前記第１のコードガイド部は前記係合爪部と係合する係合孔部を有することを特徴とする請求項１に記載のコードガイド。
【請求項３】
前記第１及び第２のコードガイド部は、前記束線を前記凹部内に保持するための束線固定部材を有することを特徴とする請求項１または２に記載のコードガイド。
【請求項４】
前記束線固定部材は前記第１及び第２のコードガイド部と一体に成形されていることを特徴とする請求項３に記載のコードガイド。
【手続補正２】
【補正対象書類名】明細書
【補正対象項目名】００１０
【補正方法】変更
【補正の内容】
【００１０】
【課題を解決するための手段】
第１の発明は、電気機器に取り付けられ、束線を保持するための凹部を有するコードガイドにおいて、一体成形され、弾性変形可能な接続部を介して接続された第１及び第２のコードガイド部を有し、前記接続部を弾性変形させることにより、前記第１のコードガイド部に対する前記第２のコードガイド部の位置を変更可能であることを特徴とする。
【手続補正３】
【補正対象書類名】明細書
【補正対象項目名】００１１
【補正方法】変更
【補正の内容】
【００１１】
第２の発明は、上記第１の発明で、前記２のコードガイド部は係合爪部を有し、前記第１のコードガイド部は前記係合爪部と係合する係合孔部を有することを特徴とする。
【手続補正４】
【補正対象書類名】明細書
【補正対象項目名】００１２
【補正方法】変更
【補正の内容】
【００１２】
第３の発明は、上記いずれかの発明で、前記第１及び第２のコードガイド部に、前記束線を前記凹部内に保持するための束線固定部材を設けたことを特徴とする。
【手続補正５】
【補正対象書類名】明細書
【補正対象項目名】００１５
【補正方法】変更
【補正の内容】
【００１５】
本実施の形態のコードガイドは、使用状態においては、図１に示すように、略９０度の角度で直交する側面Ｌ型に形成され、成形時には図３に示すように、コードガイドの両端に位置する両方の直線部が略平行に成形され、搬送時には図４に示すように、一方の直線部が可撓性のヒンジ部９により略１８０度の角度で２つ折れに折れて搬送されるようになっている。
【手続補正６】
【補正対象書類名】明細書
【補正対象項目名】００１７
【補正方法】変更
【補正の内容】
【００１７】
図１及び図２において、コードガイド４０は従来例と同様に凹部１を有し、側面Ｊ型の第１コードガイド部５と、側面Ｉ型の第２コードガイド部６とにより構成され、第１コードガイド部５と第２コードガイド部６とは共に一体形成された可撓弾性変形可能なヒンジ部９を介して連結されている。そして、成形の際は、例えば射出成形により、図３に示すように、第２コードガイド部６を略９０度折り曲げた形状で成形するようにしている。また、第１コードガイド部５および第２コードガイド部６には夫々２つの束線固定部材３が設けられている。なお、束線固定部材３は第１コードガイド部５および第２コードガイド部６には夫々２つ設けているが３あるいはそれ以上であっても良い。
【手続補正７】
【補正対象書類名】明細書
【補正対象項目名】００１８
【補正方法】変更
【補正の内容】
【００１８】
一方、電気製品に組み込んだときには図１に示すように、第２コードガイド部６をヒンジ部９を中心に矢印の示す方向に回転させ、第２コードガイド部６に一体成形された係合爪部７−２が第１コードガイド部５に一体成形された係合孔部７−１に係合し、第１コードガイド部５と第２コードガイド部６とが一体化して図１に示す側面Ｌ字形状の最終的な機能形状となる。
【手続補正８】
【補正対象書類名】明細書
【補正対象項目名】００２１
【補正方法】変更
【補正の内容】
【００２１】
ところで、コードガイドを射出成形するときには、金型には成形品の形状に対応した一定のストロークが必要であるが、従来のコードガイドの形状の場合には、図５に示すように、ストロークＬ２が必要であった。
【手続補正９】
【補正対象書類名】明細書
【補正対象項目名】００２２
【補正方法】変更
【補正の内容】
【００２２】
しかしながら、本実施の形態のコードガイド４０では、ヒンジ部９を介して第１コードガイド部５と第２コードガイド部６（ヒンジ部９が設けられた端部とは反対側の端部に位置する部分）とを略並行となる形状で一体成形するために、図３に示すように、Ｌ１（Ｌ１＜Ｌ２）のストロークで足りる。
【手続補正１０】
【補正対象書類名】明細書
【補正対象項目名】００２４
【補正方法】変更
【補正の内容】
【００２４】
また、通常コードガイドの成形と電気機器への組付けは別の工程で行われることが多く、コードガイドの荷姿が搬送コストに影響を及ぼすが、本実施の形態に係るコードガイド４０では、図４に示すように、第２コードガイド部６を第１コードガイド部５に対してヒンジ部９を介して下方に折り曲げた形状として（言い換えれば、第１のコードガイド部５の一部と第２のコードガイド部６とを並列に配置した状態で）搬送することが可能であるため、嵩の低い荷姿とすることができ、搬送コストを低く抑えることが可能となる。
【手続補正１１】
【補正対象書類名】明細書
【補正対象項目名】００２５
【補正方法】変更
【補正の内容】
【００２５】
さらに、コードガイドを電気機器へ取付けるときには、コードガイドを弾性変形させ、折り曲げた状態で取付けることが多いが、本実施の形態に係るコードガイド４０では、第１コードガイド部５と第２コードガイド部６とが分割されているので、金型の抜き勾配や樹脂材料の成形時の流れの制約が少なくなるため、成形品の肉厚を適正値に調整でき、しかも第２コードガイド部６に一体成形された係合爪部７−２と第１コードガイド部５に一体成形された係合孔部７−１との係合によって一体化しているため、剛性低下と相間って弾性変形がし易くなり、従来のコードガイドにくらべて簡単に電気機器内部に取付けることができる。
【手続補正１２】
【補正対象書類名】明細書
【補正対象項目名】００２７
【補正方法】変更
【補正の内容】
【００２７】
また、本実施の形態では、コードガイドを２個に分割したが、分割数は２個に限定されるものではなく、３個以上に分割してもよし、ヒンジ部９も１箇所に限定されるものではなく、２個所以上であっても良い。
【手続補正１３】
【補正対象書類名】明細書
【補正対象項目名】００２８
【補正方法】変更
【補正の内容】
【００２８】
【発明の効果】
本出願に係る発明によれば、接続部を弾性変形させて第１のコードガイド部に対する第２のコードガイド部の位置を変更することにより、最終機能形状が得られるので、成形時の長さ等を最終機能形状での大きさよりも小さくすることが可能となった。そのため、コードガイドを成形するための成形機の容量の小型化、コードガイドの搬送時の荷姿の改善、電気機器内部への容易な取り付けを可能とすることができる。
【手続補正１４】
【補正対象書類名】明細書
【補正対象項目名】符号の説明
【補正方法】変更
【補正の内容】
【符号の説明】
１  凹部
２  束線
３  束線固定部材
４、４０  コードガイド
５  第１コードガイド部
６  第２コードガイド部
７−１  係合孔部
７−２  係合爪部
８  コードガイド固定部
９  ヒンジ部
１０  ビス